【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
携帯端末機であって、
表示部と、
入力部と、
制御部を含み、前記制御部は、
前記表示部を介して、スケジュール管理画面に表示された第１のインデックスに関する情報の第１のイメージを含む前記スケジュール管理画面の第１の画面を表示し、
前記入力部を介して、前記スケジュール管理画面の第１の画面に表示された第２のインデックスを選択する入力を受信し、
前記第２のインデックスを選択する入力に基づいて、第２のインデックスに関する情報の第２のイメージを生成し、
前記表示部を介して、前記第２のインデックスに関する情報の第２のイメージを含む前記スケジュール管理画面の第２の画面を表示するように制御し、
前記第１のインデックスに関する情報の第１のイメージの一部と前記第２のインデックスに関する情報の第２のイメージの一部とは、前記第２のインデックスを選択する入力を受信後、前記表示部を介して、一時的に同時表示されることを特徴とする携帯端末機。
【請求項２】
前記第１の画面または第２の画面はインデックス領域およびコンテンツ領域をさらに含み、
前記インデックス領域は前記第１のインデックスおよび第２のインデックスを含むことを特徴とする、請求項１に記載の携帯端末機。
【請求項３】
前記第１の画面および第２の画面は、カテゴリ領域をさらに含み、
前記カテゴリ領域は、前記コンテンツ領域上に配置され、
前記カテゴリ領域は、月（ｍｏｎｔｈ）インジケータを含むことを特徴とする、請求項２に記載の携帯端末機。
【請求項４】
前記コンテンツ領域は、前記第１のインデックスまたは第２のインデックスに関する月（ｍｏｎｔｈ）、日（ｄａｙ）および年（ｙｅａｒ）情報を含むことを特徴とする、請求項２に記載の携帯端末機。
【請求項５】
前記コンテンツ領域は、前記第１のインデックスまたは第２のインデックスに関する時間（ｈｏｕｒ）インジケータを含むことを特徴とする、請求項２に記載の携帯端末機。
【請求項６】
前記第１のインデックスに関する情報の第１のイメージは、前記第１のインデックスに関する第１の時間インジケータを含み、
前記第２のインデックスに関する情報の第２のイメージは、前記第２のインデックスに関する第２の時間インジケータを含むことを特徴とする、請求項１〜５のいずれか一項に記載の携帯端末機。
【請求項７】
前記制御部は、
前記第２のインデックスを選択する入力を受信後、前記第１のインデックスに比べ、前記第２のインデックスの位置を判断するように制御し、
前記第２のインデックスが前記第１のインデックスに比べ、第１の方向に位置する場合、前記第２のインデックスに関する第２のイメージの一部が前記第１のインデックスに関する第１のイメージの一部の第１の側面に表示され、
前記第２のインデックスが前記第１のインデックスに比べ、第２の方向に位置する場合、前記第２のインデックスに関する第２のイメージの一部が前記第１のインデックスに関する第１のイメージの一部の第２の側面に表示されることを特徴とする、請求項１に記載の携帯端末機。
【請求項８】
前記第２のインデックスが前記第１のインデックスの右方に位置するものと判断した場合、前記第１のイメージの第１の側面は右方であって、
前記第２のインデックスが前記第１のインデックスの左方に位置するものと判断した場合、前記第１のイメージの第２の側面は、左方であることを特徴とする、請求項７に記載の携帯端末機。
【請求項９】
前記制御部は、
前記第１のインデックスに比べ、前記第２のインデックスの位置を判断したことに基づき、前記第２のインデックスに関する情報の第２のイメージが前記第１のインデックスに関する情報の第１のイメージに接近することに関し、前記表示部を介して表示するように制御することを特徴とする、請求項７に記載の携帯端末機。
【請求項１０】
前記第２のインデックスが前記第１のインデックスの右方に位置するものと判断した場合、前記第２のイメージが右方で左にスライドし、
前記第２のインデックスが前記第１のインデックスの左方に位置するものと判断した場合、前記第２のイメージが左方から右方にスライドすることを特徴とする、請求項９に記載の携帯端末機。
【請求項１１】
前記制御部は、
前記スケジュール管理画面の第１の画面に前記第１のインデックスに関する第１のインジケータを表示し、
前記第２のインデックスを選択する入力を受信後、前記スケジュール管理画面の第２の画面に前記第２のインデックスに関する第２のインジケータを表示するように前記表示部を制御することを特徴とする、請求項１に記載の携帯端末機。
【請求項１２】
スケジュール管理を実行する携帯端末機であって、
表示部と、
タッチセンサー部と、
制御部を含み、前記制御部は、
前記表示部を介して、複数の日付（ｄａｔｅ）を表示するインデックス領域および第１の日付に相応する第１の日程情報を表示するコンテンツ領域を含む画面を表示し、
前記インデックス領域上、新たな日付を選択する入力を受信し、
前記新たな日付を選択する入力に対応し、第２の日程情報を表示するように制御し、
前記第２の日程情報の一部と前記第１の日程情報の一部とが、一時的に日程スライド方向に前記コンテンツ領域に同時表示され、
前記新たな日付が前記第１の日付の右方に位置する場合、前記第２の日程情報の前記日程スライド方向は、右方から左方への方向であって、
前記新たな日付が前記第１の日付の左方に位置する場合、前記第２の日程情報の前記日程スライド方向は、左方から右方への方向であることを特徴とする携帯端末機。
【請求項１３】
前記画面は、月インジケータを含むカテゴリ領域をさらに含み、
前記制御部は、
前記画面に表示された前記カテゴリ領域の前記月インジケータを選択する入力を受信し、
前記月インジケータを選択する入力に基づいて、月単位の日程に関する情報を獲得し、
前記月単位の日程に関する第３の日程情報を生成し、
前記月インジケータを選択する入力に対応し、前記第３の日程情報を表示するように制御し、
前記第３の日程情報は、前記月インジケータに関するアップデートされたインデックス情報を含むことを特徴とする、請求項１２に記載の携帯端末機。
【請求項１４】
前記第２の日程情報が、前記日程スライド方向に表示されることにおいて、前記第１の日付と前記新たな日付との間の日付にあたるコンテンツは、表示されないことを特徴とする、請求項１２に記載の携帯端末機。
【請求項１５】
前記第２の日程情報が前記日程スライド方向に表示されることにおいて、前記第１の日程情報および第２の日程情報の間の少なくとも一つのコンテンツは、視覚的に表示されないことを特徴とする、請求項１２に記載の携帯端末機。
【請求項１６】
スケジュール管理を実行する方法であって、
複数の日付（ｄａｔｅ）を表示するインデックス領域および第１の日付に相応する第１の日程情報を表示するコンテンツ領域を含む画面を表示する動作と、
前記インデックス領域上、新たな日付を選択する入力を受信する動作と、
前記新たな日付を選択する入力に対応し、第２の日程情報を表示する動作を含み、
前記第２の日程情報の一部と前記第１の日程情報の一部とが、一時的に日程スライド方向に前記コンテンツ領域に同時表示され、
前記新たな日付が前記第１の日付の右方に位置する場合、前記第２の日程情報の前記日程スライド方向は、右方から左方への方向であって、
前記新たな日付が前記第１の日付の左方に位置する場合、前記第２の日程情報の前記日程スライド方向は、左方から右方への方向であることを特徴とする方法。
【請求項１７】
前記画面は月インジケータを含むカテゴリ領域をさらに含み、
前記方法は、
前記画面に表示された前記カテゴリ領域の前記月インジケータを選択する入力を受信する動作と、
前記月インジケータを選択する入力に基づき、月単位の日程に関する情報を獲得する動作と、
前記月単位の日程に関する第３の日程情報を生成する動作と、
前記月インジケータを選択する入力に対応して、前記第３の日程情報を表示する動作をさらに含み、
前記第３の日程情報は、前記月インジケータに関するアップデートされたインデックス情報を含むことを特徴とする、請求項１６に記載の方法。
【請求項１８】
前記第２の日程情報が前記日程スライド方向に表示されることにおいて、前記第１の日付と前記新たな日付との間の日付にあたるコンテンツは、表示されないことを特徴とする、請求項１６に記載の方法。
【請求項１９】
前記第２の日程情報が前記日程スライド方向に表示されることにおいて、前記第１の日程情報および第２の日程情報の間の少なくとも一つのコンテンツは、視覚的に表示されないことを特徴とする、請求項１６に記載の方法。
【請求項２０】
制御部が方法を実行するようにするインストラクションを保存するコンピュータ判読可能な格納媒体であって、前記方法は、
複数の日付（ｄａｔｅ）を表示するインデックス領域および第１の日付に相応する第１の日程情報を表示するコンテンツ領域を含む画面を表示する動作と、
前記インデックス領域上、新たな日付を選択する入力を受信する動作と、
前記新たな日付を選択する入力に対応し、第２の日程情報を表示する動作を含み、
前記第２の日程情報の一部と前記第１の日程情報の一部とが、一時的に日程スライド方向に前記コンテンツ領域に同時表示され、
前記新たな日付が前記第１の日付の右方に位置する場合、前記第２の日程情報の前記日程スライド方向は、右方から左方への方向であって、
前記新たな日付が前記第１の日付の左方に位置する場合、前記第２の日程情報の前記日程スライド方向は、左方から右方への方向であることを特徴とする方法。
【請求項２１】
前記画面は月インジケータを含むカテゴリ領域をさらに含み、
前記方法は、
前記画面に表示された前記カテゴリ領域の前記月インジケータを選択する入力を受信する動作と、
前記月インジケータを選択する入力に基づき、月単位の日程に関する情報を獲得する動作と、
前記月単位の日程に関する第３の日程情報を生成する動作と、
前記月インジケータを選択する入力に対応し、前記第３の日程情報を表示する動作をさらに含み、
前記第３の日程情報は、前記月インジケータに関するアップデートされたインデックス情報を含むことを特徴とする、請求項２０に記載の方法。
【請求項２２】
前記第２の日程情報が前記日程スライド方向に表示されることにおいて、前記第１の日付と前記新たな日付との間の日付にあたるコンテンツは、表示されないことを特徴とする、請求項２０に記載の方法。
【請求項２３】
前記第２の日程情報が前記日程スライド方向に表示されることにおいて、前記第１の日程情報および第２の日程情報の間の少なくとも一つのコンテンツは、視覚的に表示されないことを特徴とする、請求項２０に記載の方法。